(57)【要約】【課題】  紙葉類処理装置において紙葉類の状態に応じた分類を行う際に、分類のための検査項目のそれぞれについてオペレータが容易に調整することができる。【解決手段】  本発明は、紙葉類処理装置に関する。そして、紙葉類処理装置は、検査項目ごとに紙葉類の状態に係る評価を行い、各紙葉類について検査項目ごとの評価値を算出する手段と、検査項目ごとに、紙葉類を分類するための閾値を記憶する手段と、算出した検査項目ごとの評価値と記憶された検査項目ごとの閾値とを比較し、検査項目ごとの比較結果に基づいて、紙葉類の状態に係る分類を行う手段と、各閾値の入力を受付けることができる操作画面をオペレータに提供する手段と、分類処理が行われた紙葉類にその分類結果に応じた処理を行う紙葉類処理手段とを有することを特徴とする。【選択図】      図１
2014225214.tif 000002
【特許請求の範囲】
【請求項１】
検査項目ごとに紙葉類の状態に係る評価を行い、各紙葉類について検査項目ごとの評価値を算出する評価値算出手段と、
検査項目ごとに、紙葉類を分類するための閾値を記憶する閾値記憶手段と、
上記評価値算出手段が算出した検査項目ごとの評価値と、上記閾値記憶手段に記憶された検査項目ごとの閾値とを比較し、検査項目ごとの比較結果に基づいて、紙葉類の状態に係る分類を行う分類手段と、
上記閾値記憶手段に記憶された各閾値の変更を受付けることができる操作画面をオペレータに提供する閾値変更手段と、
上記分類手段により分類処理が行われた紙葉類に、その分類結果に応じた処理を行う紙葉類処理手段と
を有することを特徴とする紙葉類処理装置。
【請求項２】
上記分類手段による検査項目ごとの比較結果をオペレータに出力する比較結果出力手段をさらに有することを特徴とする請求項１に記載の紙葉類処理装置。
【請求項３】
上記紙葉類供給手段及び上記評価値算出手段による過去の紙葉類の処理履歴を記憶する処理履歴記憶手段と
上記処理履歴記憶手段に記憶された任意の数の紙葉類の処理履歴に基づく比較結果を出力する比較履歴出力手段と
をさらに有することを特徴とする請求項２に記載の紙葉類処理装置。
【請求項４】
上記処理履歴記憶手段に記憶された処理履歴に基づいて、任意の紙葉類の検査項目ごとの評価値を出力する履歴出力手段をさらに有することを特徴とする請求項３に記載の紙葉類処理装置。
【請求項５】
上記処理履歴記憶手段に記憶された処理履歴に基づいて、過去に上記評価値算出手段で評価された紙葉類の状態を、上記閾値記憶手段に記憶された閾値に基づいて分類処理し、その分類処理結果に係る統計情報をオペレータに出力する統計情報出力手段をさらに備えることを特徴とする請求項３に記載の紙葉類処理装置。
【請求項６】
上記統計情報出力手段は、統計処理情報として、少なくとも、全ての検査項目の比較結果に基づく分類処理結果の統計情報を出力することを特徴とする請求項５に記載の紙葉類処理装置。
【請求項７】
上記統計情報出力手段は、統計処理情報として、検査項目ごとの比較結果の統計情報を、さらに出力することを特徴とする請求項６に記載の紙葉類処理装置。
【請求項８】
上記統計情報出力手段は、上記閾値変更手段で変更を受付け、上記閾値記憶手段に反映される前の閾値に基づいた統計情報をオペレータに出力することを特徴とする請求項６又は７に記載の紙葉類処理装置。
【請求項９】
上記評価値算出手段で処理される紙葉類に記載された識別情報を認識する識別情報認識手段をさらに備え、
上記処理履歴記憶手段に記憶された処理履歴に基づいて、任意の紙葉類の検査項目ごとの評価値を当該紙葉類の識別情報と対応付けて出力する履歴出力手段をさらに有することを特徴とする請求項３に記載の紙葉類処理装置。
【請求項１０】
上記履歴出力手段は、ユーザの操作に応じた紙葉類に係る検査項目ごとの評価値を当該紙葉類の識別情報と対応付けて出力することを特徴とする請求項９に記載の紙葉類処理装置。
【請求項１１】
上記履歴出力手段は、ユーザから識別番号の入力を受付け、入力された識別番号の紙葉類に係る検査項目ごとの評価値を当該紙葉類の識別情報と対応付けて出力することを特徴とする請求項１０に記載の紙葉類処理装置。
【請求項１２】
紙葉類処理装置が行う紙葉類処理方法において、
集積手段、評価値算出手段、閾値記憶手段、分類手段、比較結果出力手段、閾値変更手段、及び紙葉類処理手段を有し、
上記評価値算出手段は、検査項目ごとに紙葉類の状態に係る評価を行い、各紙葉類について検査項目ごとの評価値を算出し、
上記閾値記憶手段は、検査項目ごとに、紙葉類を分類するための閾値を記憶し、
上記分類手段は、上記評価値算出手段が算出した検査項目ごとの評価値と、上記閾値記憶手段に記憶された検査項目ごとの閾値とを比較し、検査項目ごとの比較結果に基づいて、紙葉類の状態に係る分類を行い、
上記比較結果出力手段は、上記分類手段による検査項目ごとの比較結果をオペレータに出力し、
上記閾値変更手段は、上記閾値記憶手段に記憶された各閾値の変更を受付けることができる操作画面をオペレータに提供し、
上記紙葉類処理手段は、上記分類手段により分類処理が行われた紙葉類に、その分類結果に応じた処理を行う
ことを特徴とする紙葉類処理方法。
【発明の詳細な説明】
【技術分野】
【０００１】
本発明は紙葉類処理装置、及び紙葉類処理方法に関し、例えば、紙幣を金種別などに分類して計数し、計数した分類紙幣をそれぞれ一時集積部に集積し、一定枚数毎に結束して整理する紙幣結束整理装置に適用し得るものである。
【背景技術】
【０００２】
金融機関の本支店や大型小売店等の１日に多くの紙幣を取り扱う店舗において、紙幣結束整理装置が導入され、精査時等に回収した紙幣を一定枚数毎に束ねて整理することが行われている。また、複数の本支店や小売店から紙幣を回収するセンタにおいて、紙幣結束整理装置が導入され、各店舗から回収した紙幣を一定枚数毎に束ねて整理することが行われている。
【０００３】
従来の紙幣結束整理装置としては、特許文献１の記載技術がある。従来の紙幣結束整理装置において、投入部にセットされた多数枚の紙幣は、１枚ずつ鑑別部に搬送されて、金種や、正券又は損券等の鑑別が実行され、オペレータによる予めの指定に基づいて、複数の一時集積部に分別されて集積される。そして、従来の紙幣結束整理装置では、一次集積部で集積枚数が所定枚数に達すると、その所定枚数の紙幣が紙テープ等の結束材により束ねられて放出される。なお、以下では、結束された後の紙幣を「紙幣束」と呼び、結束される前の紙幣を「結束対象紙幣」と呼ぶものとする。
【０００４】
また、特許文献１に記載された紙幣結束整理装置では、紙幣の傷みが激しく紙幣発行銀行に返却することが好ましい状態の紙幣（以下、「損券」と呼ぶ）と、損券と言えるほどの痛みではない紙幣（以下、「正券」と呼ぶ）とを鑑別し、正券のみを結束対象紙幣として取り扱っている。
【０００５】
また、従来の紙幣結束整理装置では、正券について、さらに細分化して痛みの程度に応じてランク分けするものが存在する。例えば、従来の紙幣結束整理装置では、ＡＴＭ／ＣＤなどに代表される自動入出金機での利用に耐え得る比較的程度の良い（痛みの少ない）紙幣をＡＴＭ券（ＡＴＭ−ＦＩＴ券）とし、それ以外の正券を流通券として取り扱うものがある。また、従来の紙幣結束整理装置では、紙幣の汚損状態、破損状態等の様々な検査項目（以下、単に「検査項目」とも呼ぶ）に基づいて鑑別を行っている。
【先行技術文献】
【特許文献】
【０００６】
【特許文献１】特開２０１１−１１３１５２号公報
【発明の概要】
【発明が解決しようとする課題】
【０００７】
ところで、従来の紙幣結束整理装置を利用するユーザでは、紙幣結束整理装置を利用する際に投入される紙幣の状態や、結束対象紙幣の利用目的に応じて、ユーザ側のオペレータにより紙幣のランク分け（分類）の基準を細かく調整したいという要望がある。しかしながら、従来の紙幣結束整理装置では、多数の紙幣検査項目が設定されているため、オペレータ自身が容易に調整をすることが難しいという問題があった。
【０００８】
そのため、紙葉類（例えば、紙幣）の状態に応じた分類を行う際に、分類のための検査項目のそれぞれについて、オペレータが容易に調整することができる紙葉類処理装置、及びプログラムが望まれている。
【課題を解決するための手段】
【０００９】
第１の本発明の紙葉類処理装置は、（１）検査項目ごとに紙葉類の状態に係る評価を行い、各紙葉類について検査項目ごとの評価値を算出する評価値算出手段と、（２）検査項目ごとに、紙葉類を分類するための閾値を記憶する閾値記憶手段と、（３）上記評価値算出手段が算出した検査項目ごとの評価値と、上記閾値記憶手段に記憶された検査項目ごとの閾値とを比較し、検査項目ごとの比較結果に基づいて、紙葉類の状態に係る分類を行う分類手段と、（４）上記分類手段による検査項目ごとの比較結果をオペレータに出力する比較結果出力手段と、（５）上記閾値記憶手段に記憶された各閾値の変更を受付けることができる操作画面をオペレータに提供する閾値変更手段と、（６）上記分類手段により分類処理が行われた紙葉類に、その分類結果に応じた処理を行う紙葉類処理手段とを有することを特徴とする。
【００１０】
第２の本発明は、紙葉類処理装置が行う紙葉類処理方法において、（１）集積手段、評価値算出手段、閾値記憶手段、分類手段、比較結果出力手段、閾値変更手段、及び紙葉類処理手段を有し、（２）上記評価値算出手段は、検査項目ごとに紙葉類の状態に係る評価を行い、各紙葉類について検査項目ごとの評価値を算出し、（３）上記閾値記憶手段は、検査項目ごとに、紙葉類を分類するための閾値を記憶し、（４）上記分類手段は、上記評価値算出手段が算出した検査項目ごとの評価値と、上記閾値記憶手段に記憶された検査項目ごとの閾値とを比較し、検査項目ごとの比較結果に基づいて、紙葉類の状態に係る分類を行い、（５）上記比較結果出力手段は、上記分類手段による検査項目ごとの比較結果をオペレータに出力し、（６）上記閾値変更手段は、上記閾値記憶手段に記憶された各閾値の変更を受付けることができる操作画面をオペレータに提供し、（７）上記紙葉類処理手段は、上記分類手段により分類処理が行われた紙葉類に、その分類結果に応じた処理を行うことを特徴とする。
【発明の効果】
【００１１】
本発明によれば、紙葉類処理装置において紙葉類の状態に応じた分類を行う際に、分類のための検査項目のそれぞれについてオペレータが容易に調整することができる。
【図面の簡単な説明】
【００１２】
【図１】第１の実施形態に係る紙幣結束整理装置の制御系の構成を示すブロック図である。
【図２】第１の実施形態に係る紙幣結束整理装置の内部構造を示す概略側面図（一方の側板を取り外して見た概略側面図）である。
【図３】第１の実施形態に係る紙幣結束整理装置の上部構造を拡大して示す拡大側面図である。
【図４】第１の実施形態に係る紙幣結束整理装置の外観を示す斜視図である。
【図５】第１の実施形態に係る紙幣結束整理装置における操作部を拡大して示す平面図である。
【図６】第１の実施形態に係る紙幣結束整理装置における集積機構の詳細を示す側面図である。
【図７】第１の実施形態に係る紙幣結束整理装置における紙幣結束機構の詳細を示す側面図である。
【図８】第１の実施形態に係る紙幣結束整理装置で記憶される一次集積部設定情報の内容例について示した説明図である。
【図９】第１の実施形態に係る紙幣結束整理装置で記憶される判別レベル設定情報の内容例について示した説明図である。
【図１０】第１の実施形態に係る紙幣結束整理装置（制御部）が設定情報の入力を受付ける場合の動作について示したフローチャートである。
【図１１】第１の実施形態に係る紙幣結束整理装置で表示される設定情報入力画面の内容例について示した説明図である。
【図１２】第１の実施形態に係る紙幣結束整理装置で表示される券種選択画面の内容例について示した説明図である。
【図１３】第１の実施形態に係る紙幣結束整理装置（制御部）が計数及び結束処理を行う場合の動作について示したフローチャートである。
【図１４】第１の実施形態に係る紙幣結束整理装置で表示される計数状況表示画面の内容例について示した説明図である。
【図１５】第１の実施形態に係る紙幣結束整理装置の鑑別部の処理について示したフローチャートである。
【図１６】第１の実施形態に係る紙幣結束整理装置で表示される紙幣状態認識メイン画面の例について示した説明図である。
【図１７】第１の実施形態に係る紙幣結束整理装置で表示される判別レベル変更画面の例について示した説明図である。
【図１８】第１の実施形態に係る紙幣結束整理装置で表示される紙幣状態認識メイン画面が遷移した状態（その１）について示した説明図である。
【図１９】第１の実施形態に係る紙幣結束整理装置で表示される紙幣状態認識メイン画面が遷移した状態（その２）について示した説明図である。
【図２０】第１の実施形態に係る紙幣結束整理装置で表示される紙幣状態認識メイン画面が遷移した状態（その３）について示した説明図である。
【図２１】第１の実施形態に係る紙幣結束整理装置で表示される紙幣状態認識メイン画面が遷移した状態（その４）について示した説明図である。
【図２２】第１の実施形態に係る紙幣結束整理装置で表示される紙幣状態認識メイン画面が遷移した状態（その５）について示した説明図である。
【図２３】第１の実施形態に係る紙幣結束整理装置で表示される紙幣状態認識メイン画面が遷移した状態（その６）について示した説明図である。
【図２４】第２の実施形態に係る紙幣処理履歴の構成例について示した説明図である。
【図２５】第２の実施形態に係る紙幣結束整理装置で表示される紙幣状態認識メイン画面が遷移した状態（その１）について示した説明図である。
【図２６】第２の実施形態に係る紙幣結束整理装置で表示される紙幣状態認識メイン画面が遷移した状態（その２）について示した説明図である。
【図２７】第２の実施形態に係る紙幣結束整理装置で表示される記番号入力を受付けるためのポップアップ画面の構成例について示した説明図である。
【発明を実施するための形態】
【００１３】
（Ａ）第１の実施形態
以下、本発明による紙葉類処理装置を、紙幣結束整理装置に適用した第１の実施形態を、図面を参照しながら説明する。
【００１４】
（Ａ−１）第１の実施形態の構成
図２は、実施形態に係る紙幣結束整理装置の内部構造を示す概略側面図（一方の側板を取り外して見た側面図）である。
【００１５】
図３は、図２における上部構造を拡大して示す拡大側面図である。図４は、この実施形態の紙幣結束整理装置の外観を示す斜視図である。図５は、図４における操作部７を拡大して示す平面図である。図２〜図５だけでなく後述する各図を含め、同一、対応部分には、同一、対応符号を付して示している。なお、図１、図２、図４において括弧内の符号は、後述する第２の実施形態でのみ用いられる符号である。
【００１６】
この実施形態に係る紙幣結束整理装置１００の正面上部には、紙幣の投入部１が設けられている。鑑別部２は、装置内に設けられており、投入部１から投入された紙幣の真偽（真券、偽券）、金種、正損（正券、損券）、表裏、折れ券（折れ券であるか否か／折れ部分を含むか否か）等の鑑別や計数を行うと共に、搬送異常の検出を行うものである。鑑別された紙幣を搬送する搬送路３の詳細については、後述する。
【００１７】
表裏反転部４は、鑑別部２の後段に位置するように設けられており、後述する制御部５０の制御下で、紙幣の表裏反転を行うものである。
【００１８】
２つのオープンポケット５ａ、５ｂは、装置の上面に設けられており、後述する制御部５０の制御下で、紙幣（例えば、結束対象外の券種の紙幣）がこのオープンポケット５ａ、５ｂへ排出される。オープンポケット５ａ、５ｂに集積された紙幣は、オペレータが直接アクセスできるものとなっている。
【００１９】
リジェクトポケット８は、基本的に、鑑別部２でリジェクト紙幣と鑑別された紙幣を集積することに用いられるものである。この実施形態の場合、後述する制御部５０の制御下で、リジェクト紙幣のうち、上述したオープンポケット５ａ、５ｂや一時集積部６１への排出対象外のリジェクト紙幣がリジェクトポケット８に排出される。リジェクトポケット８は、例えば、投入部１の上方に設けられており、このリジェクトポケット８に集積された紙幣にオペレータが直接アクセスできるものとなっている。なお、リジェクトポケット８は、リジェクト紙幣以外の紙幣を集積することに用いるようにしてもよいことは当然である。
【００２０】
リジェクトポケット８に排出可能な上限数は、あらかじめ設定された設定枚数（例えば、１９０枚）に定められている。これは、リジェクトポケット８から排出されたリジェクト紙幣が所定枚数を超えると、リジェクトポケット８から紙幣がこぼれて装置外に落ちる恐れがあるためである。例えば、リジェクトポケット８に集積された紙幣が設定枚数に達したときには、制御部５０は紙幣の投入を一時停止させ、リジェクトポケット８から紙幣の除去をオペレータに求めるメッセージを表示させるようにしてもよい。
【００２１】
操作部７は、投入部１の一側（図示のものは右側）に設けられている。この操作部７には、紙幣の計数を指示する計数開始ボタン７ａ、計数及び結束処理の完了を指示する完了ボタン７ｂ、装置の障害復旧時に装置を再稼働させるためのリセットボタン７ｃなどが設けられている。
【００２２】
操作表示部１３は、装置上面においてオープンポケット５ａの後方に位置するように設けられている。操作表示部１３は、液晶ディスプレイとその表面に配置されたタッチパネルによって構成されている。オペレータは、この操作表示部１３を操作して、モードの指定や、後述する一時集積部６１に集積する紙幣の金種等を設定できるようになされている。また、この操作表示部１３には、後述する制御部５０の制御下で、鑑別部２で鑑別された紙幣の金種、計数結果等が表示される。
【００２３】
この実施形態の場合、としての集積機構６には、上下方向に１列に５つの一時集積部６１（６１ａ〜６１ｅ）が並べられて装置内に設けられている。各一時集積部６１ａ〜６１ｅにはそれぞれ、後述する制御部５０の制御下で、予め定められた枚数（例えば１００枚）を上限とした指定種類の紙幣が集積できるようになっている。なお、一時集積部の数は５つに限定されるものではない。
【００２４】
移送機構９は、一時集積部６１ａ〜６１ｅの集積紙幣を紙幣結束機構１０に移送するものである。紙幣結束機構１０は、移送されてきた集積紙幣を紙テープ等の結束材により束ねるものである。移送機構９及び紙幣結束機構１０は、両者とも装置内に設けられている。移送機構９及び紙幣結束機構１０の詳細については後述する。放出口１１は、紙幣結束機構１０の結束により形成された紙幣束を放出させる開口である。放出口１１の上部の装置正面に設けられた扉１２は、開けることで、オペレータが集積機構６にアクセスできるものとなっている。
【００２５】
次に、搬送路３について詳述する。搬送路３は、ローラや搬送ベルトや通過を検知するセンサ、駆動モータ等からなっているが、以下では、紙幣の経路という面から搬送路３を説明する。搬送路３は、図３に示すように、大きくは５つの部分（以下、部分に対しても搬送路と呼ぶこととする）３ａ〜３ｅに分かれている。
【００２６】
搬送路３ａは、投入部１から鑑別部２を経て分岐点Ａに至る部分である。従って、投入された全ての紙幣が、搬送路３ａ上を搬送される。搬送路３ｂは、分岐点Ａからリジェクトポケット８に至る部分である。従って、鑑別結果が、リジェクトポケット８に集積させるリジェクト紙幣が、搬送路３ｂ上を搬送される。
【００２７】
搬送路３ｃは、分岐点Ａから分岐点Ｂに至る部分であり、その途中に表裏反転部４が設けられている。搬送路３ｃは、表裏反転部４を通過しないように紙幣を搬送することもできる。表裏反転部４は溝状のものであり、搬送されてきた紙片は、表裏反転部４に一端から挿入され、他端から引き出されることを通じて表裏が反転される。投入された紙幣のうち、リジェクトポケット８に向かった紙幣以外の紙幣が、搬送路３ｃ上を搬送される。搬送路３ｃ上に導入された紙幣のうち、表裏反転が必要と鑑別されたものは、表裏反転部４を経由する。
【００２８】
搬送路３ｄは、分岐点Ｂから、最下段の一時集積部６１ｅに至る部分である（図２、図３参照）。鑑別部２によって、集積、結束対象と鑑別された紙幣が、搬送路３ｄ上を搬送され、その紙幣が集積されるべき一時集積部６１ａ〜６１ｅに挿入される。
【００２９】
搬送路３ｅは、分岐点Ｂから分岐点Ｃに至る部分である。そして、搬送路３ｆは、分岐点Ｃからオープンポケット５ａに至る部分である。また、搬送路３ｇは、分岐点Ｃからオープンポケット５ｂに至る部分である。
【００３０】
以上のように、紙幣結束整理装置１００では、搬送路３及び鑑別部２等により、オペレータから投入された紙幣を、集積機構６（一時集積部６１ａ〜６１ｅ）に供給する「紙葉類供給手段」が形成されている。
【００３１】
なお、搬送路３上の分岐点Ａ、Ｂ、Ｃのそれぞれの近傍には、紙幣の搬送方向を切替える図示しない切替えブレードが設けられ、後述する制御部５０の制御下で切り替えられる。
【００３２】
図６は、集積機構６の構成を図２より詳細に示す側面図である。集積機構６には、上述のように、５つの一時集積部６１ａ〜６１ｅが上下方向に並べて配置されている。これらの一時集積部６１ａ〜６１ｅは、同一の構造を有しているので、以下では、一時集積部６１ａを例にとって詳細を説明する。
【００３３】
搬送路３ｄにより搬送されてきた紙幣は、一時集積部６１ａの振り分けゲート２７により集積板２１に向かって取り込まれ、これにより一時集積部６１ａに進入した紙幣は羽根車２０により後部が叩かれて集積板２１の上に集積されるようになされている。以降進入してくる紙幣に関しても、同様の動作で集積板２１上に集積した紙幣の上に集積される。
【００３４】
一時集積部６１ａに進入した紙幣は、一時集積部６１ａの一側（例えば、図６紙面法線方向の手前側）に設けられた図示しない長手整位手段により、紙幣の長手方向の位置が揃えられ、更に一時集積部６１ａの後端側に設けられた図示しない短手整位手段により短手方向の位置が揃えられる。上述の長手整位機構は、紙幣を反対側に設置された基準面に押しつけることで整位するものとなっている。また、上述の短手整位機構は、集積された紙幣を進入口側に付勢することにより整位するものとなっている。
【００３５】
集積板２１上に紙幣が集積して行き、その集積数（後述するカウンタ５１ａ〜５１ｅの値）が設定枚数を越えると、集積板２１は自動的に下降して一時集積部６１ａの空間を広げ、この動作により皺や折り目等に起因する紙幣の状態によって集積高さが違っても安定して集積が行えるようになっている。集積板２１の上方には押さえ板２４が対向するように設けられ、この押さえ板２４は集積板２１上への紙幣の集積中は一時集積部６１ａの上端に待機しており、順次取り込まれる紙幣の進入の邪魔にならないようになっている。
【００３６】
一時集積部６１ａの集積板２１上に設定枚数の紙幣が集積されると、ゲート振り分け機構２７を紙幣を取り込まない姿勢に動作させ、所定枚数目以降の紙幣は、例えば、他の一時集積部６１ｂ〜６１ｅのいずれかへ集積するように制御される。
【００３７】
紙幣の進入が停止した一時集積部６１ａでは集積板２１を上昇させ、押さえ板２４を下降させることにより紙幣を挟持する。この動作により皺等の紙幣の状態によって集積高さの異なる紙幣の厚みを一定にし、移送機構９への受渡しを容易にするようになっている。
【００３８】
集積板２１と押さえ板２４により挟持された紙幣は、移送機構９の紙幣クランプ部３０（図２参照）が短手整位機構２３側から一時集積部６１ａに進入して引き抜かれるようになっている。
【００３９】
移送機構９は、図２に示すように、紙幣クランプ部３０、クランプ部移動機構３１、上下動機構３２を備えている。移送機構９の構成を、動きを通して明らかにする。
【００４０】
一時集積部６１ａに集積された紙幣を引き抜く場合を例に、移送機構９の一連の動きを説明する。上下動機構３２により紙幣クランプ部３０をクランプ部移動機構３１と共に、一時集積部６１ａに係るポジションセンサの位置まで上昇させ、ポジションセンサがクランプ部移動機構３１を検知した位置で上昇を停止させると同時に、図示しない係止手段によりクランプ部移動機構３１を係止し、クランプ部移動機構３１を一時集積部６１ａと対応する位置に固定する。この状態でクランプ移動機構３１により紙幣クランプ部３０のクランプ爪３３ａ、３３ｂを上下方向に開いて集積紙幣をクランプする準備を行い、更にクランプ移動機構３１により紙幣クランプ部３０を一時集積部６１ａの方向に押し出す。押し出された紙幣クランプ機構３０のクランプ爪３３ａ、３３ｂは、一時集積部６１ａの短手整位機構２３側に設けられている開口部に挿入され、集積板２１と押さえ板２４により挟持されている紙幣を上下から挟みつけて把持する。次に、集積板２１と押さえ板２４を開くことで、両者による紙幣の挟持を解除すると、これにより１００枚の紙幣が紙幣クランプ部３０に渡されたことになるので、クランプ爪３３ａ、３３ｂで紙幣を把持した紙幣クランプ部３０をクランプ部移動機構３１により引き戻す。紙幣クランプ部３０が元の位置まで引き戻されると、クランプ部移動機構３１の係止が解除され、紙幣を把持した紙幣クランプ部３０と共にクランプ移動機構３１が上下動機構３２により移動経路の最下端に位置する紙幣結束機構１０まで移動し、紙幣クランプ部３０のクランプ爪３３ａ、３３ｂに把持された紙幣が紙幣結束機構１０に引き渡される。
【００４１】
紙幣結束機構１０は、図７の側面図に示すように、ローラ及びベルト等からなる搬送手段４０と、紙テープ等の結束用テープ４１と、印刷手段４２と、テープ４１を供給する供給手段４３と、テープ４１を所定の長さに切断するカッタ４４と、図示しない結束手段を有し、以下のように紙幣を結束する。
【００４２】
搬送手段４０が移送機構９の紙幣クランプ部３０から結束対象の紙幣を一括して受け取り、結束位置に搬送する。テープ供給手段４３は、テープ４１を結束手段に供給し、その際、印刷手段４２は、制御部５０の制御下で、テープ４１に結束する紙幣に係る情報等を印刷する。印刷されたテープ４１は、所定の長さにカッタ４４で切断され、この切断されたテープを結束手段が結束位置に搬送された紙幣に巻き掛けて結束することにより紙幣束を作る。このようにして作られた紙幣束は、更に搬送手段４０により搬送され、放出口１１に送られる。
【００４３】
投入部１にセットされた紙幣が全て投入され、最後の紙幣に対する処理（計数、集積）が終了したときに、一時集積部６１ａ〜６１ｅに結束されていない紙幣が残っていることが多い。このような残った端数の枚数については、上述した扉１２を開けることにより、オペレータが取り出し可能となっている。
【００４４】
次に、この実施形態に係る紙幣結束整理装置１００の制御系の構成について図１を用いて説明する。なお、図１において括弧内の符号は、後述する第２の実施形態でのみ用いられる符号である。
【００４５】
図１において、制御部５０は、当該紙幣結束整理装置１００全体の動作制御を行うものである。制御部５０には、Ｉ／Ｏインタフェース回路５１を介して、投入部１の構成要素（モータ、ソレノイドなどの駆動要素や、センサ要素など；図１では「構成要素」の用語を省略している；以下の説明においても「構成要素」の用語を省略する）、鑑別部２、搬送路３、表裏反転部４、集積機構６、操作部７、移送機構９、紙幣結束機構１０、操作表示部１３、カウンタ５１ａ〜５１ｅなどが接続されている。
【００４６】
カウンタ５１ａ〜５１ｅはそれぞれ、一時集積部６１ａ〜６１ｅに１対１で対応しており、例えば、対応する一時集積部６１ａ〜６１ｅの所定位置に設けられているセンサが進入紙幣を検知する毎にカウントアップするものである。ここでは、カウンタ５１ａ〜５１ｅとしてハードウェアのカウンタを適用しているが、制御部５０がメモリ部５１を利用するソフトウェア的なカウンタを適用しても良い。
【００４７】
次に、制御部５０の内部構成及び鑑別部２の処理の詳細について説明する。
【００４８】
制御部５０は、図１に示すように、制御処理等に必要な各種情報を記憶するための記憶部５２有している。制御部５０は、例えば、プロセッサとメモリを有するコンピュータ（例えば、マイクロコンピュータ）に、実施形態の紙葉類処理プログラムをインストールすることにより構築することができ、その場合でも機能的には図１のように示すことができる。
【００４９】
図１に示すように、記憶部５２は、少なくとも一次集積部設定情報５２１、判別レベル設定情報５２２、及び紙幣処理履歴５２３を記憶している。
【００５０】
まず、一次集積部設定情報５２１の内容について図８を用いて説明する。
【００５１】
図８に示すように、一次集積部設定情報５２１は、紙幣の種類（金種及び券種の組みあわせ）ごとの集積先（一時集積部６１ａ〜６１ｅ、オープンポケット５ａ、５ｂのいずれか）を示す情報である。図８に示すように、一次集積部設定情報５２１では、紙幣の種類は、金種及び券種の組み合わせに応じて決定している。
【００５２】
図８において、金種とは、紙幣の額面に応じて決まるものとしている。なお、この実施形態では、紙幣結束整理装置１００は、中華人民共和国（人民元）の６金種の紙幣（１００元紙幣、５０元紙幣、２０元紙幣、１０元紙幣、５元紙幣、１元紙幣）について処理が可能であるものとする。また、図８において、券種とは、紙幣の属性を示すものとする。
【００５３】
具体的には、紙幣の券種は、紙幣の真偽、紙幣の傷みの度合い等の項目に基づいて定められるものとする。この実施形態の鑑別部２では、紙幣の傷みの度合いに応じて、ＡＴＭ券、流通券、損券の３段階に判別（分類）されるものとする。  そして、この実施形態の一次集積部設定情報５２１では、券種の項目に設定する内容としては、「無し」（紙幣の券種を限定しない）、「ＡＴＭ券」、「流通券」、「損券」、「ＡＴＭ＋流通」（ＡＴＭ券及び流通券）、「流通＋損」（流通券及び損券）、「真偽ＲＪ」（偽券としてリジェクトすべき紙幣）のいずれかが設定されるものとして説明する。なお、一次集積部設定情報５２１の券種の項目に設定する情報の種類、数、条件の組み合わせについては上述の例に限定されないものである。
【００５４】
図８に示すように、一次集積部設定情報５２１では、各集積先は、集積先ごとに付与されたＩＤ（以下、「集積先ＩＤ」と呼ぶ）により表されている。集積先ＩＤは、一時集積部６１ａ〜６１ｅ、オープンポケット５ａ、５ｂに対して１〜７のＩＤが付与されている。例えば、一時集積部６１ａの集積先ＩＤは１、オープンポケット５ａの集積先ＩＤは６、オープンポケット５ｂの集積先ＩＤは７となる。そして、制御部５０は、鑑別部２により鑑別（分類）された紙幣について、一次集積部設定情報５２１に応じた集積先へ集積されるように、搬送路３等を制御する。
【００５５】
この実施形態においては、例として、一次集積部設定情報５２１に、図８に示す内容が設定されているものとする。図８に示す一次集積部設定情報５２１では、金種が１００元紙幣で券種が「ＡＴＭ＋流通」の紙幣の集積先が一時集積部６１ｅ（集積先ＩＤ：５）、金種が１００元紙幣で券種が「損券」の紙幣の集積先がオープンポケット５ａ（集積先ＩＤ：６）、券種が「真偽ＲＪ」の紙幣の集積先がオープンポケット５ｂ（集積先ＩＤ：７）にそれぞれ設定されている。
【００５６】
次に、鑑別部２の処理及び判別レベル設定情報５２２の内容について図９を用いて説明する。
【００５７】
判別レベル設定情報５２２は、鑑別部２で行う紙幣の状態に係る認識処理（以下、「紙幣状態認識処理」と呼ぶ）の検査項目ごとのパラメータ（閾値）で構成されている。
【００５８】
図９に示す判別レベル設定情報５２２の例では、紙幣状態認識処理に係る１８の検査項目について、紙幣の状態を判別（分類）するための閾値（以下、「判別レベル」と呼ぶ）を記憶している。鑑別部２は、各検査項目について、紙幣を検査し、その検査結果（評価結果）についての評価値（以下、「認識レベル」と呼ぶ）を算出する。そして、鑑別部２は、真券と認識された紙幣について、判別レベル設定情報５２２の判別レベルに従い紙幣状態認識処理を行う。この実施形態では、鑑別部２は、各検査項目について１〜２５５の範囲の整数値に正規化された認識レベルを算出するものとする。鑑別部２は、検査項目ごとに、状態が良好な紙幣（より痛みの度合いの少ない紙幣）ほど、より高い値の認識レベルを算出するものとする。なお、この実施形態では、説明を簡易とするために、鑑別部２は、各検査項目の認識レベルとして、全て同じ範囲の整数値（１〜２５５）に正規化された値を算出するものとして説明するが、検査項目ごとに算出する数値の単位や範囲は異なるものとしてもよい。そして、この実施形態では、鑑別部２は、各検査項目について、ＡＴＭ券と認識可能な認識レベルの下限（以下、「ＡＴＭ券レベル」と呼ぶ）と、損券と認識される認識レベルの上限（以下、「損券レベル」と呼ぶ）とを登録している。すなわち、鑑別部２は、全ての検査項目についてＡＴＭ券レベル以上の認識レベルを算出した紙幣については、ＡＴＭ券と認識する。また、鑑別部２は、全ての検査項目について損券レベルより高い認識レベルであり、１つ以上の検査項目についてＡＴＭ券レベルより小さい認識レベルの紙幣については、流通券と認識する。さらに、鑑別部２は、１つ以上の検査項目について損券レベル以下の認識レベルの紙幣については、損券と認識するものとする。
【００５９】
図９に示す判別レベル設定情報５２２では、検査項目ごとに、識別子としての管理番号、当該検査項目の名称、損券レベル、及びＡＴＭ券レベルが登録されている。図９に示す判別レベル設定情報５２２では、１〜１８の各管理番号の検査項目が登録されている。図９に示す判別レベル設定情報５２２では、管理番号１から順に、透かし部分汚損、肖像部分汚損、外周部分汚損、その他部分汚損、特定パターン落書き、透かし部落書き、肖像部落書き、その他落書き、角折れ破損、角破れ破損、形状破損、破れ破損、穴破損、テープ、全体汚損百、全体汚損五十、全体汚損二十、及び全体汚損十の検査項目が登録されている。なお、上述の検査項目のうち、全体汚損百、全体汚損五十、全体汚損二十、及び全体汚損十は、それぞれ券種が１００元紙幣、５０元紙幣、２０元紙幣、及び１０元紙幣にのみ適用される検査項目であり、それ以外の検査項目は全ての券種で共通の検査項目である。
【００６０】
図９に示す検査項目のうち、透かし部分汚損、肖像部分汚損、外周部分汚損、及びその他部分汚損は、紙幣の部分ごとの汚損に係る検査項目である。透かし部分汚損、肖像部分汚損、及び外周部分汚損は、それぞれ、紙幣を構成する該当する部分（それぞれ紙幣の透かし部分、肖像部分、及び外周部分）の汚損の度合いに係る検査項目である。そして、その他部分汚損は、上述の３つの検査項目以外の部分の汚損の度合いに係る検査項目である。鑑別部２は、上述の各検査項目に係る部位ごとに、例えば、汚損の面積が少ないほど高い認識レベルを算出するものとする。
【００６１】
全体汚損百、全体汚損五十、全体汚損二十、及び全体汚損十は、それぞれ対応する券種の全面積に対する汚損の度合いに係る検査項目である。全体汚損百、全体汚損五十、全体汚損二十、及び全体汚損十は、例えば、紙幣全体で汚損の面積が少ないほど高い認識レベルを算出するものとする。これにより、鑑別部２では、例えば、高額紙幣ほど高い判別レベルを設定する等の処理を行うことができる。
【００６２】
図９に示す検査項目のうち、特定パターン落書き、透かし部落書き、肖像部落書き、及びその他落書きの検査項目は、紙幣に書き込み又は上書き印刷された落書きに係る検査項目である。透かし部落書き、及び肖像部落書きは、それぞれ、紙幣の部分ごとの落書きの度合い（例えば、落書きの面積）に係る検査項目である。透かし部落書き、及び肖像部落書きは、それぞれ、紙幣を構成する該当部分（それぞれ紙幣の透かし部分、及び肖像部分）の落書きの度合いに係る検査項目である。そして、その他部分落書きは、上述の２つの検査項目以外の部分の落書きの度合いに係る検査項目である。鑑別部２は、透かし部落書き、及び肖像部落書きの検査項目に係る部位ごとに、例えば、落書きの汚損の面積が少ないほど高い認識レベルを算出するものとする。
【００６３】
特定パターン落書きは、予め登録された特定パターンの落書きがふされているか否かに係る検査項目である。鑑別部２には、予め１又は複数の特定パターンの画像が登録されている。そして、鑑別部２は、紙幣に特定パターンの画像が描かれているか否かを照合する。特定パターンとしては、例えば、特定の企業、宗教、団体、国、民族等に係る宣伝広告や、名誉を棄損する内容の画像が挙げられる。特定パターン落書きは、紙幣に特定パターンが形成されているか否かに係る検査項目である。したがって、この実施形態の鑑別部２は、特定パターンが検出された紙幣については、特定パターン落書きの認識レベルとして最低値（１）を出力し、特定パターンが検出されない紙幣については特定パターン落書きの認識レベルとして最高値（２５５）を出力するものとして説明する。
【００６４】
角折れ破損、角破れ破損、形状破損、破れ破損、及び穴破損は、それぞれ、紙幣の破損度合いに係る検査項目である。角折れ破損は、紙幣の角部分の折れ度合いを示す検査項目である。角破れ破損は、紙幣の角部分の破れによる破損度合いを示す検査項目である。形状破損は、紙幣の外周部分（全体形状）の破損度合いに係る検査項目である。破れ破損及び穴破損は、それぞれ、紙幣の内側部分の破れや穴の度合い（大きさ）に係る検査項目である。鑑別部２は、角折れ破損、角破れ破損、形状破損、破れ破損、及び穴破損の検査項目に係る部位ごとに、破損部分の大きさ（例えば、折れ、破れ、穴等の大きさ）が少ない（小さい）ほど高い認識レベルを算出するものとする。
【００６５】
テープの検査項目は、紙幣に接着されたテープ等に係る検査項目である。鑑別部２は、テープの検査項目について、付けられたテープが少ない（小さい）ほど、低い認識レベルを算出するものとする。
【００６６】
この実施形態の鑑別部２及び判別レベル設定情報５２２では、以上のような検査項目について対応しているが、適用する検査項目の組合せや、設定する判別レベルの数等については限定されないものである。なお、制御部５０は、オペレータの操作表示部１３に対する操作（例えば、メニュー画面等の操作）に応じて、判別レベル設定情報５２２の各検査項目に係るパラメータ（損券レベル、及びＡＴＭ券レベル）の変更を受付けることが可能となっているものとする。
【００６７】
次に、紙幣処理履歴５２３の内容について説明する。紙幣処理履歴５２３は、鑑別部２による、紙幣状態認識処理の認識履歴（すくなくとも、紙幣ごとの、各検査項目の認識レベルを含む処理履歴の情報）である。この実施形態の紙幣処理履歴５２３では、直近に紙幣状態認識処理が行われた紙幣１０００枚分の認識履歴が含まれるものとして説明するが、紙幣処理履歴５２３に登録可能な認識履歴の数は限定されないものである。
【００６８】
以上のように、紙幣結束整理装置１００では、判別レベル設定情報５２２により、紙幣を分類するための判別レベル（閾値）を記憶する閾値記憶手段が構成されている。また、紙幣結束整理装置１００では、鑑別部２により、各紙幣について、検査項目ごとの認識レベル（評価値）を算出する評価値算出手段、及び、紙幣の状態に係る判別処理（分類処理）を行う分類手段が構成されている。さらに、紙幣結束整理装置１００では、搬送路３、表裏反転部４、集積機構６、紙幣結束機構１０等により、鑑別部２の判別処理結果（分類処理結果）にしたがった紙幣の処理（一次集積部への集積や結束処理等）を行う紙葉類処理手段が構成されている。さらにまた、紙幣結束整理装置１００では、紙幣処理履歴５２３により、紙幣の処理履歴を記憶する処理履歴記憶手段が構成されている。また、紙幣結束整理装置１００では、集積機構６及び各オープンポケット（オープンポケット５ａ、５ｂ、リジェクトポケット８）により、集積手段が構成されている。
【００６９】
（Ａ−２）第２の実施形態の動作
次に、以上のような構成を有する第２の実施形態の紙幣結束整理装置１００の動作について説明する。
【００７０】
（Ａ−２−１）設定情報の入力処理
図１０は、オペレータから一次集積部設定情報５２１の内容を受け付ける際に、制御部５０が行う処理について示したフローチャートである。
【００７１】
まず、オペレータの操作表示部１３に対する操作（例えば、メニュー画面等の操作）に応じて、制御部５０が、オペレータから一次集積部設定情報５２１の内容を受けるための設定情報入力画面（図１１参照）を操作表示部１３に表示したものとする（Ｓ１０１）。
【００７２】
次に、オペレータから、情報入力を受け付ける対象となる集積先が選択されたものとする（Ｓ１０２）。具体的には、図１１に示す設定情報入力画面では、オープンポケット５ａを選択するためのボタンＢ１１、オープンポケット５ｂを選択するためのボタンＢ１２、一時集積部６１ａ〜６１ｅのいずれかを選択するためのボタンＢ１３が配置されており、いずれかのボタンの押下により、集積先が選択される構成となっている。ここでは、オペレータにより、オープンポケット５ａを選択するためのボタンＢ１１が押下されたものとして以降の説明を行う。
【００７３】
そして、集積先（オープンポケット５ａ）が選択されると、制御部５０は、設定情報入力画面において、金種を指定するためのボタンＢ１４と、券種を指定するためのボタンＢ１５の操作を受け付ける。ここでは、図１１に示すように、オープンポケット５ａ（ＯＰ１）に対応する金種については、すでに「１００元紙幣」が設定されているものとする。
【００７４】
そして、ここでは、オペレータにより、券種を指定するためのボタンＢ１５が押下されたものとする（Ｓ１０３）。
【００７５】
図１１に示す設定情報入力画面で、券種を指定するためのボタンＢ１５が押下されると、制御部５０は、オペレータに券種を選択させるための券種選択画面（図１２参照）をポップアップ表示する（Ｓ１０４）。
【００７６】
図１２に示す券種選択画面では、各券種に対応するボタンＢ２０１〜Ｂ２０８が配置されている。ここでは、オペレータにより、「損券」を指定するためのボタンＢ２０４が押下された後、確認ボタンＢ２０９が押下されたものとする（Ｓ１０５）。
【００７７】
そして、制御部５０は、券種選択画面での入力内容に応じて、一次集積部設定情報５２１の内容を更新する（Ｓ１０６）。
【００７８】
以上のような処理により、紙幣結束整理装置１００では、一次集積部設定情報５２１の登録を受け付け、その内容は上述の図８のような内容となったものとする。
【００７９】
なお、この実施形態の紙幣結束整理装置１００において、一次集積部設定情報５２１の内容の登録を受け付ける具体的な処理（画面構成等）については限定されないものであり、種々のインタフェースを適用することができる。
【００８０】
（Ａ−２−２）計数及び結束処理
図１３は、紙幣結束整理装置１００において、計数及び結束処理が行われる場合の動作について示したフローチャートである。
【００８１】
操作部７の計数開始ボタン７ａがオペレータによって押下されると（Ｓ２０１）、制御部５０は、計数及び結束処理を開始し、まず、各部の初期設定を行う（Ｓ２０２）。
【００８２】
制御部５０は、初期設定を完了すると、投入口１にセットされた紙幣について、計数及び結束処理の動作を開始する（Ｓ２０３）。なお、紙幣結束整理装置１００が計数処理中に、オペレータにより、投入口１に紙幣が追加されることもあり得る。
【００８３】
また、制御部５０は、計数処理を開始する際に、図１４に示す形式で、計数の状況を表示するための計数状況表示画面を表示する。
【００８４】
なお、図１４に示す計数状況表示画面は、図８に示す一次集積部設定情報５２１に従った内容となっている。
【００８５】
計数状況表示画面では、図１４に示すようにフィールドＦ３２に、テーブル形式で、一時集積部６１ごとに、現在集積中の金種（図１４の「施封」の項目）、現在集積している枚数（図１４の「端数枚数」の項目）、及び現在集積中の金種について結束（施封）した紙幣束の数（図１４の「把束数」の項目）が表示される。なお、図１４の「施封」の項目の１〜５の番号は、集積部ＩＤとなっている。したがって、図１４の例では、図８に示す一次集積部設定情報５２１に従って、施封の項目で「５：１００元紙幣」となっているため、一時集積部６１ｅ（一時集積部ＩＤ：５）に１００元紙幣が割り当てられていることを示している。また、図１４の例では、１００元紙幣について、現在５８枚集積されており（「端数枚数」の項目が「５８」）、既に１束の結束（施封）が行われた（「把束数」の項目が「１」）ことを示している。
【００８６】
また、計数状況表示画面では、図１４に示すようにフィールドＦ３１に、テーブル形式で、オープンポケット５ａ、５ｂごとに、現在集積中の券種（図１４の「ポケット」の項目）、現在枚数（現在集積されている枚数）と設定枚数（各ポケットに集積する上限の枚数）が入力されている。なお、フィールドＦ３１の「ポケット」の項目において「１」は第１のオープンポケット５ａ、「２」は第２のオープンポケット５ｂ、「ＲＪ」はリジェクトポケット８をあらわしている。この実施形態の紙幣結束整理装置１００では、図８に示す一次集積部設定情報５２１に従って、第１のオープンポケット５ａに、金種が「１００元紙幣」で券種が「損券」の紙幣を集積するように設定されている。また、紙幣結束整理装置１００では、図８に示す一次集積部設定情報５２１に従って、第２のオープンポケット５ｂに、券種が「真偽ＲＪ」（真偽不明または偽券と判断した紙幣）のものを集積するように設定されている。
【００８７】
さらに、計数状況表示画面では、図１４に示すようにフィールドＦ３３に、処理状況に係るメッセージ（例えば、「計数中」等のメッセージ）が表示される。
【００８８】
さらにまた、計数状況表示画面では、図１４に示すように紙幣状態認識処理に係る情報表示や、各検査項目に係る認識レベル調整が可能な画面（以下、「紙幣状態認識メイン画面」と呼ぶ）に移行するための認識ボタンＢ３１（「認識」と表示されたボタン）が配置されている。
【００８９】
そして、制御部５０は、搬送路３を制御して投入口１にセットされた紙幣を１枚取り込んで鑑別部２に鑑別処理（分類処理）を実行させる（Ｓ２０４）。
【００９０】
そして、制御部２０５は、上述のステップＳ２０４で鑑別（分類）された紙幣について、対応する集積先に搬送するように制御を行う（Ｓ２０５）。なお、紙幣結束整理装置１００では、各一時集積部６１ａ〜６１ｅに集積された紙幣が設定枚数に達すると、その紙幣の束が紙幣結束機構１０により結束処理されるが、図１３のフローチャートでは、結束処理に係る動作については省略して図示している。
【００９１】
そして、制御部２０５は、投入部１に投入された紙幣が残っているか否かを確認し（Ｓ２０６）、残っている場合は上述のステップＳ２０４の処理から動作し、残っていない場合（投入紙幣が終了している場合）は、計数及び結束処理を停止する（Ｓ２０７）。
【００９２】
次に、上述のステップＳ２０４における鑑別部２による鑑別処理について図１５のフローチャートを用いて説明する。
【００９３】
まず、鑑別部２は、１枚の紙幣について処理を開始すると、当該紙幣の券種及び真偽の判別処理を行う（Ｓ３０１）。
【００９４】
そして、鑑別部２は、判別結果を確認し（Ｓ３０２）、当該紙幣が偽造された偽券又は判別不能な紙幣（当該紙幣結束整理装置１００で処理対象とならない種類の紙幣を含む）であると認識した場合には、その判別結果をもって当該紙幣の処理を終了する。
【００９５】
一方、当該紙幣の判別結果が当該紙幣結束整理装置１００で処理対象となる紙幣の真券だった場合、鑑別部２は、さらに当該紙幣について、状態を認識する紙幣状態認識処理を行い（Ｓ３０３）、その処理結果（検査項目ごとの認識レベル）を記憶部５２（紙幣処理履歴５２３）に登録して（Ｓ３０４）処理を終了する。
【００９６】
次に、上述の計数状況表示画面で、認識ボタンＢ３１が押下された場合に移行する画面（紙幣状態認識メイン画面）について図１６を用いて説明する。
【００９７】
紙幣状態認識メイン画面は、紙幣状態認識処理の各検査項目（管理番号１〜１８の各検査項目）に係る表示、及び変更が可能な操作画面である。
【００９８】
紙幣状態認識メイン画面では、図１６に示すように、管理番号１〜１８の各検査項目について、それぞれフィールドＦ４０１〜Ｆ４１８が割り当てられている。そして、それぞれの検査項目に対応するフィールドでは、当該検査項目の判別レベル（損券レベル及びＡＴＭ券レベル）を変更する画面（以下、「判別レベル変更画面」と呼ぶ）に移行するボタンと、当該検査項目に係るパラメータを表示（図１６の状態では、損券レベル及びＡＴＭ券レベルを表示）する表示領域が設定されている。例えば、管理番号が「０１」の「透かし部分汚損」の検査項目に対応するフィールドＦ４０１は、図１６に示すように、「０１  透かし部分汚損」と表示されたボタンと、「透かし部分汚損」の損券レベル及びＡＴＭ券レベルとして「１００／２００」が表示された表示領域により構成されている。この場合、「透かし部分汚損」の損券レベルは１００、ＡＴＭ券レベルは２００であることを示している。
【００９９】
以上のように、紙幣結束整理装置１００では、制御部５０及び操作表示部１３が出力する紙幣状態認識メイン画面（図１６参照）により、検査項目ごとの判別レベルと認識履歴における認識レベルとの比較結果をオペレータに出力する比較結果出力手段が構成されている。
【０１００】
そして、図１６に示す紙幣状態認識メイン画面で、いずれかのフィールドのボタンが押下された場合、制御部５０は操作表示部１３の画面を、当該検査項目の判別レベルを調整するための判別レベル変更画面に遷移させる。図１７は、判別レベル変更画面の例について示している。図１７では、例として、管理番号が「０１」の「透かし部分汚損」の認識レベルを変更する判別レベル変更画面となっている。
【０１０１】
図１７の判別レベル変更画面では、判別レベルの変更に係る検査項目を示すフィールドＦ５１（図１７では、「０１  透かし部分汚損」と表示）と、変更前の当該検査項目の各判別レベル表示（図１７では棒グラフ形式で表示）したフィールドＦ５２と、変更後の当該検査項目の各判別レベルを表示（図１７では、棒グラフに数値を付記した形式で表示）したＦ５３とが配置されている。また、図１７の判別レベル変更画面では、損券レベルを増減するボタンが配置されたフィールドＦ５４と、ＡＴＭ券レベルを増減するボタンが配置されたフィールドＦ５５が配置されている。例えば、損券レベルに係るフィールドＦ５４には、増減する数値が表示された４つのボタン（「−１０」、「−１」、「＋１」、「＋１０」と表示されたボタン）が配置されており、判別レベル変更画面では、これらのボタンの押下に応じて、フィールドＦ５３に表示される棒グラフ及び数値が変更（増減）されるように構成されている。さらに、図１７の判別レベル変更画面では、変更後の判別レベルを、紙幣状態認識メイン画面に反映して前の画面（紙幣状態認識メイン画面）に戻るためのボタンＢ５１（「確認」と表示されたボタン）と、変更後の判別レベルを反映せずに前の画面に戻るためのボタンＢ５２（「取消」と表示されたボタン）とが配置されている。
【０１０２】
また、紙幣状態認識メイン画面では、判別レベル変更画面により判別レベルが変更された場合、図２０に示すように、変更に係る検査項目のボタンの表示形式が変化（例えば、赤色等の目立つ色に表示形式が変化）するものとする。例えば、図２０では、「０１  透かし部分汚損」に係るフィールドＦ４０１のボタンの表示形式が変化した状態（図２０では、ボタンにハッチを付して図示）について示している。
【０１０３】
以上のように、紙幣結束整理装置１００では、制御部５０及び操作表示部１３が出力する判別レベル変更画面（図１７参照）により、オペレータから検査項目ごとの判別レベルの変更を受付ける閾値変更手段が構成されている。
【０１０４】
そして、紙幣状態認識メイン画面では、現在表示中の各検査項目の判別レベルを判別レベル設定情報５２２に反映させて、前の画面（計数状況表示画面）に戻る確認ボタンＢ４１と、現在表示中の各検査項目の判別レベルを判別レベル設定情報５２２に反映させずに前の画面に戻る取消ボタンＢ４２とが配置されている。
【０１０５】
さらに、紙幣状態認識メイン画面には、当該画面の表示内容を変更するためのボタンＢ４３〜Ｂ４６が配置されている。「１枚判別履歴」と表示されたボタンＢ４３は、紙幣状態認識メイン画面の各フィールドの表示領域を直近の１枚の認識履歴に基づく内容の表示に切り替えるためのボタンである。「５００枚判別履歴」と表示されたボタンＢ４４は、紙幣状態認識メイン画面の各フィールドの表示領域を直近の５００枚の認識履歴に基づく内容の表示に切り替えるためのボタンである。「判別結果」と表示されたボタンＢ４５は、紙幣状態認識メイン画面の各フィールドの表示領域を直近の１枚の認識履歴に基づく認識レベルに切替えるためのボタンである。「判別履歴統計」と表示されたボタンＢ４６は、紙幣処理履歴５２３に基づいて、過去の紙幣状態認識処理に係る統計情報を表示するためのボタンである。
【０１０６】
図１６に示す紙幣状態認識メイン画面では、「１枚判別履歴」と表示されたボタンＢ４３が押下されると、図１８に示すような１枚判別履歴を表示した状態となる。
【０１０７】
紙幣状態認識メイン画面では、１枚判別履歴を表示した状態となると、紙幣処理履歴５２３に記憶されている任意の紙幣の認識履歴（ここでは、直近に判別処理した１枚の紙幣の認識履歴であるものとする）の認識レベルに基づき、各検査項目の各判別レベルの表示形式が変化（例えば、赤字等の目立つ色に表示形式が変化）する。例えば、この実施形態では、紙幣状態認識メイン画面で、１枚判別履歴を表示した状態となると、各検査項目の判別レベルと当該紙幣の認識レベルとが比較され、当該紙幣の認識レベルと各判別レベルの数値との比較結果に基づいて表示形式が変更（図１８では、図示の都合上、ハッチを付して図示）される。例えば、図１８では、フィールドＦ４０１（透かし部分汚損）の表示領域の「１００」及び「２００」の両方について表示形式が変化している。例えば、当該紙幣の透かし部分汚損に係る認識レベルが「５０」だった場合、損券レベル（１００）及びＡＴＭ券レベル（２００）の両方を下回るため、図１８のような表示となる。一方、当該紙幣に係る認識レベルが損券レベルより高く、ＡＴＭ券レベルより低い場合は、図１８のフィールドＦ４０３（０３  外周部分汚損）のように、ＡＴＭ券レベルの数字のみについて表示形式が変化する。紙幣状態認識メイン画面で、１枚判別履歴を表示した状態でも表示形式が変化しない検査項目については、当該紙幣の認識レベルがＡＴＭ券レベル以上だったことを示している。なお、紙幣状態認識メイン画面では、１枚判別履歴を表示した状態で、再度ボタンＢ４３が押下されると、元の表示形式（図１６の状態）に戻る。
【０１０８】
図１６に示す紙幣状態認識メイン画面では、ボタンＢ４４が押下されると、図１９に示すような５００枚判別履歴を表示した状態となる。
【０１０９】
紙幣状態認識メイン画面で５００枚判別履歴を表示した状態の表示形式は、１枚判別履歴と同様であるが、比較対象が複数の紙幣に係る認識レベル（ここでは、直近に処理された５００枚の紙幣に係る認識レベルであるものとする）の平均値となっている点が異なっている。例えば、過去５００枚の紙幣について「０４  その他部分汚損」に係る認識レベルの平均値が「５０」だった場合、損券レベル（１００）及びＡＴＭ券レベル（２００）の両方を下回るため、図１９のような表示となる。図１９では、フィールドＦ４０４の表示領域の「１００」及び「２００」の両方について表示形式が変化している。なお、紙幣状態認識メイン画面では、５００枚判別履歴を表示した状態で、再度ボタンＢ４４が押下されると、元の表示形式（図１６の状態）に戻る。なお、過去５００枚の平均値ではなく最低値や最高値で表示させてもよい。
【０１１０】
以上のように、紙幣結束整理装置１００では、制御部５０及び操作表示部１３が出力する紙幣状態認識メイン画面（図１８、図１９参照）により、任意の数の認識履歴（各検査項目の認識レベル）に基づく判別レベルとの比較結果をオペレータに出力する比較履歴出力手段が構成されている。
【０１１１】
図１６に示す紙幣状態認識メイン画面では、ボタンＢ４５が押下されると、図２１に示すような判別結果を表示した状態となる。
【０１１２】
紙幣状態認識メイン画面では、判別結果を表示した状態となると、図２１に示すように、紙幣処理履歴５２３に記憶されている任意の紙幣の認識履歴（ここでは、直近に判別処理した１枚の紙幣の認識履歴であるものとする）に係る各検査項目の認識レベルが、各検査項目に対応するフィールドの表示領域に表示される。例えば、図２１では、「０１  透かし部分汚損」に係るフィールドＦ４０１の表示領域に５０が表示されているため、当該紙幣の「０１  透かし部分汚損」の認識レベルは５０であったことを示している。なお、紙幣状態認識メイン画面では、判別結果を表示した状態で、再度ボタンＢ４５が押下されると、元の表示形式（図１６の状態）に戻る。
【０１１３】
以上のように、紙幣結束整理装置１００では、制御部５０及び操作表示部１３が出力する紙幣状態認識メイン画面（図２１参照）により、紙幣の認識履歴（各検査項目の認識レベル）をオペレータに出力する履歴出力手段が構成されている。
【０１１４】
図１６に示す紙幣状態認識メイン画面では、ボタンＢ４６が押下されると、図２２に示すような判別履歴統計を表示した状態となる。
【０１１５】
紙幣状態認識メイン画面では、判別履歴統計を表示した状態となると、複数の認識履歴（ここでは、直近の１０００枚分の認識履歴であるものとする）に係る各検査項目の認識レベルに、現在表示している各検査項目の判別レベルを適用した場合の判別結果の統計情報（損券の枚数及びＡＴＭ券の枚数等）が、各フィールドの表示領域に表示される。具体的には、紙幣状態認識メイン画面では、判別履歴統計を表示した状態となると、図２２に示すように、判別結果として、各検査項目のフィールドに損券の枚数及びＡＴＭ券の枚数を表示される。例えば、図２２では、「透かし部分汚損」の検査項目に対応するフィールドＦ４０１の表示領域に、「１００枚／２００枚」と表示されている。これは、過去１０００枚分の「透かし部分汚損」の認識レベルのそれぞれに、現在紙幣状態認識メイン画面で保持している判別レベル（損券レベル、流通券レベル）を適用した場合の損券の枚数（１００枚）と流通券の枚数（２００枚）を示している。また、紙幣状態認識メイン画面では、判別履歴統計を表示した状態となると、フィールドＦ５０に、過去１０００枚分の認識履歴に、現在紙幣状態認識メイン画面で保持している各検査項目の判別レベルを適用した場合の判別結果（全ての検査項目の判別レベルを考慮した最終的な判別結果）に基づく計情報が表示される。図２２では、フィールドＦ５０の表に、損券、流通券、ＡＴＭ券及び合計の枚数が表示されている。また、図２２では、フィールドＦ５０の表に、損券、流通券、及びＡＴＭ券の比率（合計枚数に対する比率）を表示（％で表示）している。図２２のフィールドＦ５０の表では、損券１００枚（１０％）、流通券（２００枚）、ＡＴＭ券７００枚（７０％）、合計１０００枚という結果となっている。
【０１１６】
そして、図２２に示す紙幣状態認識メイン画面では、「透かし部分汚損」の検査項目を理由とする損券及び流通券が最も多いため、「透かし部分汚損」の検査項目について判別レベルを調整すれば、全体の判別結果も変化することが分かる。
【０１１７】
そして、紙幣状態認識メイン画面では、判別履歴統計を表示した状態で、判別レベルが変更（判別レベル変更画面で変更）されると、変更後の判別レベル（判別レベル設定情報５２２に反映される前の判別レベル）に基づいて、各フィールドの表示領域の表示内容、及びフィールドＦ５０の表示内容が更新される。例えば、紙幣状態認識メイン画面が図２２に示す状態で、フィールドＦ４０１のボタンが押下され、「透かし部分汚損」の損券レベル及びＡＴＭ券レベルを下げる変更が行われた場合、図２３のような状態となる。図２３では、「透かし部分汚損」の検査項目について判別レベルが変更されたため、Ｆ４０１のボタンの表示形式が変わっている（図２３ではハッチを付した状態となっている）。また、図２３では、「透かし部分汚損」の検査項目の判別レベル変更に伴って、フィールドＦ４０１の表示領域の内容、及び、フィールドＦ５０の統計情報の内容が更新されている。図２３では、フィールドＦ４０１の表示領域の内容が、「１００枚／２００枚」から「５０枚／２５０枚」に更新されている。さらに、図２３では、フィールドＦ５０の表のうち、損券の枚数が１００枚（１０％）から５０枚（５％）に更新されている。さらに、図２３では、フィールドＦ５０の表のうち、流通券の枚数が２００枚（２０％）から２５０枚（２５％）に更新されている。さらにまた、図２３では、フィールドＦ５０の表で、更新のあった損券及び流通券の表示部分の表示形式が変わっている（図２３ではハッチを付した状態となっている）。フィールドＦ５０の表で更新のあった部分の表示形式の変更方式については限定されないものであるが、赤色の文字に変更する等目立つ形式であることが望ましい。なお、紙幣状態認識メイン画面では、判別履歴統計を表示した状態で、再度ボタンＢ４６が押下されると、元の表示形式（図１６の状態）に戻る。
【０１１８】
以上のように、紙幣結束整理装置１００では、制御部５０及び操作表示部１３が出力する紙幣状態認識メイン画面（図２２、図２３参照）により、任意の紙幣の認識履歴（各検査項目の認識レベル）に基づいて、現在保持している判別レベル（判別レベル設定情報５２２に記憶されている判別レベル、又は、判別レベル設定情報５２２に反映される前の変更後の判別レベル）に基づく統計情報をオペレータに出力する統計情報出力手段が構成されている。
【０１１９】
（Ａ−３）実施形態の効果
この実施形態によれば、以下のような効果を奏することができる。
【０１２０】
この実施形態の紙幣結束整理装置１００では、紙幣状態認識メイン画面で（図１６、図１８参照）、紙幣処理履歴５２３に基づき、過去の各紙幣の認識レベルに基づく判別処理結果（検査項目ごとの分類結果）を表示している。これにより、紙幣結束整理装置１００では、処理された紙幣がどの検査項目で「損券」もしくは「ＡＴＭ券ではない」と判別（分類）されたかをオペレータが容易に把握できる。さらに、紙幣結束整理装置１００では、検査項目ごとの分類結果を表示した紙幣状態認識メイン画面から、直接各検査項目の判別レベルを変更する判別レベル変更画面（図１７参照）に移行することができるので、オペレータに容易に各検査項目の調整を行う環境を提供することができる。
【０１２１】
また、紙幣結束整理装置１００では、紙幣状態認識メイン画面で、紙幣の認識履歴の表示（図２１参照）や、統計情報の表示（図２２、図２３参照）を行うことで、オペレータにさまざまな観点から認識履歴の分析結果を出力するため、オペレータによる判別レベルの調整を補助することができる。
【０１２２】
（Ｂ）第２の実施形態
以下、本発明による紙葉類処理装置を、紙幣結束整理装置に適用した第２の実施形態を、図面を参照しながら説明する。
【０１２３】
（Ｂ−１）第２の実施形態の構成及び動作
第２の実施形態の紙幣結束整理装置１００Ａの構成は、第１の実施形態と同様に上述の図１〜図９も用いて示すことができる。なお、上述の図１、図２、図４において括弧内の符号は、第２の実施形態でのみ用いられる符号である。以下では、第２の実施形態について第１の実施形態との差異を説明する。
【０１２４】
紙幣結束整理装置１００Ａは、ハードウェア的には、第１の実施形態と同様であるが、機能的な構成（ソフトウェア的な構成）の一部が第１の実施形態と異なっている。具体的には、紙幣結束整理装置１００Ａでは、鑑別部２及び制御部５０が、鑑別部２Ａ及び制御部５０Ａに置き換わっている点で第１の実施形態とことなっている。また、制御部５０Ａでは、紙幣処理履歴５２３Ａの構成が第１の実施形態と異なっている。
【０１２５】
第１の実施形態の紙幣処理履歴５２３については、紙幣状態認識処理の認識履歴として、少なくとも、紙幣ごとの、各検査項目の認識レベルを含む処理履歴の情報を記憶するものとして説明したが、第２の実施形態の紙幣処理履歴５２３Ａでは、紙幣毎の情報として、各紙幣の表面に記載された識別情報（以下、「記番号」と呼ぶ）を対応付けて記憶する点で第１の実施形態異なっている。すなわち、紙幣処理履歴５２３Ａでは、過去に処理した紙幣の記番号と当該紙幣に係る各検査項目の認識レベルが対応づけて管理されている。
【０１２６】
また、第２の実施形態の鑑別部２Ａは、鑑別する紙幣の記番号（識別情報）も認識可能な識別情報認識手段としても機能する必要がある。鑑別部２Ａが、紙幣の記番号を認識する具体的方式については限定されないものであるが、例えば、種々の紙幣処理装置と同様の構成（例えば、ＯＣＲ（Ｏｐｔｉｃａｌ  Ｃｈａｒａｃｔｅｒ  Ｒｅｃｏｇｎｉｔｉｏｎ）等画像解析を用いた「識別手段」）を適用することができるので詳しい説明は省略する。
【０１２７】
具体的には、例えば、紙幣処理履歴５２３Ａの構成は図２４のようなテーブルを用いることができる。なお、紙幣処理履歴５２３Ａでは、紙幣毎に記番号及び認識レベルが管理されていれば、内部の具体的なデータ構造については、限定されないものである。
【０１２８】
図２４に示すテーブルでは、紙幣ごとに管理番号、記番号及び認識レベル（各検査項目の認識レベル）の情報が登録されている。なお、紙幣処理履歴５２３Ａにおいて、各紙幣のその他の情報（例えば、金種、処理日時、集積先の情報等）も合わせて登録するようにしてもよい。
【０１２９】
なお、図２４に示す紙幣処理履歴５２３Ａのテーブルでは、管理番号は、各紙幣を処理した順序を昇順で表しているものとする。すなわち、図２４に示す紙幣処理履歴５２３Ａのテーブルでは、管理番号の数値が大きいほど、直近に処理された紙幣であることを示している。図２４では、管理番号１〜３００の計３００枚分の紙幣に係る処理履歴が記録された状態について示している。
【０１３０】
そして、制御部５０Ａでは、紙幣状態認識メイン画面（上述の図１６）で、「１枚判別履歴」と表示されたボタン（ボタンＢ４３）が押下され、１枚判別履歴が表示されたときの状態の操作画面の構成が第１の実施形態と異なっている。
【０１３１】
なお、図２４に示す紙幣処理履歴５２３Ａのテーブルでは、管理番号は、各紙幣を処理した順序を昇順で表しているものとする。すなわち、図２４に示す紙幣処理履歴５２３Ａのテーブルでは、管理番号の数字が大きいほど、直近に処理された紙幣であることを示している。
【０１３２】
そして、制御部５０Ａでは、紙幣状態認識メイン画面（上述の図１６）で、「１枚判別履歴」と表示されたボタン（ボタンＢ４３）が押下され、１枚判別履歴が表示されたときの操作画面（以下、「１枚判別履歴表示画面」とも呼ぶ）の構成が第１の実施形態と異なっている。
【０１３３】
第２の実施形態の紙幣結束整理装置１００Ａで表示される紙幣状態認識メイン画面（１枚判別履歴が表示された状態）は、例えば、図２５に示すような構成となっている。図２５に示す紙幣状態認識メイン画面（１枚判別履歴が表示された状態）では、第１の実施形態の画面（上述の図１８）と同一又は対応する部分（フィールド及びボタン）に同一又は対応する符号を付している。なお、以下では、紙幣状態認識メイン画面において、１枚判別履歴が表示された状態を、「１枚判別履歴表示画面」とも呼ぶものとする。
【０１３４】
そして、第２の実施形態の１枚判別履歴表示画面では、現在認識レベル等の情報を表示中の紙幣（以下、「表示中紙幣」とも呼ぶ）に係る記番号を表示するためのフィールドＦ５００、表示中紙幣を１つ前に処理した紙幣（表示中紙幣よりも管理番号が１少ない紙幣）に切り替えるためのボタンＢ５１、表示中紙幣を１つ後（表示中紙幣の管理番号に処理した紙幣（表示中紙幣よりも管理番号が１多い紙幣）に切り替えるためのボタンＢ５２、及び記番号を指定して１枚判別履歴表示画面の表示を切替えるためのボタンＢ５３が配置されている。
【０１３５】
次に、図２５に示す１枚判別履歴表示画面（紙幣状態認識メイン画面で１枚判別履歴が表示された状態）の詳細構成及び動作について説明する。なお、ここでは、紙幣処理履歴５２３Ａの内容は、図２４に示す内容となっているものとする。
【０１３６】
以下、第２の実施形態の制御部５０Ａが表示する１枚判別履歴表示画面の構成及び動作の詳細について図２５〜図２７を用いて説明する。
【０１３７】
第２の実施形態の紙幣状態認識メイン画面（上述の図１６の状態）で、「１枚判別履歴」と表示されたボタン（ボタンＢ４３）が押下されると、制御部５０Ａは、表示する操作画面を、紙幣処理履歴５２３Ａに記憶されている情報のうち、最後に処理した紙幣の情報を表示する１枚判別履歴表示画面に遷移させる。ここでは紙幣処理履歴５２３Ａの内容は、上述の図２４のようになっているため、制御部５０Ａは、当初、最後の管理番号３００の紙幣の記番号（ＡＢ０００００３００）及び各検査項目の認識レベルに基づく１枚判別履歴表示画面を表示する（図２５参照）。
【０１３８】
そして、１枚判別履歴表示画面（紙幣状態認識メイン画面）が図２５に示す状態（表示中紙幣が管理番号３００の紙幣の状態）で、ボタンＢ５１（「前」と表示されたボタン）が押下されると、制御部５０Ａは表示中紙幣を１つ前に処理した紙幣（管理番号２９９の紙幣）として、１枚判別履歴表示画面の各フィールドの情報を更新する。このとき、１枚判別履歴表示画面（紙幣状態認識メイン画面）の内容は、図２６のように遷移する。図２６に示す１枚判別履歴表示画面（紙幣状態認識メイン画面）では、管理番号２９９の紙幣の記番号（ＡＢ０００００２９９）及び当該紙幣の各検査項目の認識レベルに基づく内容が表示されている。
【０１３９】
また、図２６に示す１枚判別履歴表示画面（紙幣状態認識メイン画面）において、ボタンＢ５２（「次」と表示されたボタン）が押下されると、制御部５０Ａは表示中紙幣を１つ後に処理した紙幣（管理番号３００の紙幣）として、１枚判別履歴表示画面の各フィールドの情報を更新する。このとき、１枚判別履歴表示画面（紙幣状態認識メイン画面）の内容は、図２５の内容に戻ることになる。
【０１４０】
また、第２の実施形態の１枚判別履歴表示画面（紙幣状態認識メイン画面）には、上述の通り、記番号を指定して１枚判別履歴表示画面の表示を切替えるためのボタンＢ５３（「記番号指定」と表示されたボタン）が配置されている。このボタンＢ５３が押下されると、制御部５０Ａは、１枚判別履歴表示画面（紙幣状態認識メイン画面）上に、ユーザから記番号入力を受付けるためのポップアップ画面を表示する。記番号入力を受付けるためのポップアップ画面としては、例えば、図２７のような画面を適用することができる。図２７に示すポップアップ画面では、記番号入力を受付けるためのフィールドＦ６００と、入力完了を確認するための確認ボタンＢ６１とが配置されている。図２７に示すポップアップ画面において、利用者からフィールドＦ６００に記番号が入力された後、確認ボタンＢ６１が押下されると、制御部５０Ａは入力された記番号を保持して、当該記番号の紙幣を紙幣処理履歴５２３Ａから検索する。そして、制御部５０Ａは、１枚判別履歴表示画面（紙幣状態認識メイン画面）の内容を、検出した記番号の紙幣を表示中紙幣とした内容に更新する。例えば、図２７に示すポップアップ画面では、フィールドＦ６００に「ＡＢ０００００２２９」という記番号が入力されているため、制御部５０Ａは、紙幣処理履歴５２３Ａから、この記番号の紙幣として管理番号２９９の紙幣を検出することになる。そして、制御部５０Ａは、１枚判別履歴表示画面（紙幣状態認識メイン画面）の内容を、管理番号２９９の紙幣（記番号が指定されたＡＢ０００００２２９の紙幣）を表示中紙幣とした内容に更新する。このときの１枚判別履歴表示画面（紙幣状態認識メイン画面）の内容は、図２６と同じ内容となる。
【０１４１】
なお、制御部５０Ａは、ポップアップ画面で入力された記番号の紙幣が紙幣処理履歴５２３Ａから検出できない場合には、エラーメッセージを出力（例えば、「入力された記番号の紙幣は検出できませんでした」というメッセージ）して前画面（直前に表示していた１枚判別履歴表示画面）に戻るようにしてもよい。
【０１４２】
なお、紙幣結束整理装置１００Ａ（制御部５０Ａ）における１枚判別履歴表示画面（紙幣状態認識メイン画面）では、表示中紙幣の記番号が表示されればその他の構成については上述の例に限定されないものである。例えば、上述の図２５、図２６において、記番号の指定を受付けるためのボタンＢ５３に係る機能や、表示中紙幣を処理順序に従って切替えるためのボタンＢ５１、Ｂ５２に係る機能を削除したり、他の表示中紙幣の切替え機能に対応したボタンを追加配置するようにしてもよい。
【０１４３】
（Ｂ−２）第２の実施形態の効果
第２の実施形態の紙幣結束整理装置１００Ａでは、紙幣処理履歴５２３Ａにおいて、紙幣の記番号と１枚判別履歴表示画面（紙幣状態認識メイン画面）において、表示中紙幣の記番号も表示している。これにより、ユーザは、１枚判別履歴表示画面（紙幣状態認識メイン画面）の表示中紙幣を用意に特定することができる。例えば、ユーザがどの程度の紙幣の痛みで、どのような検査結果となるのかを知りたい場合に、第２の実施形態のように枚判別履歴表示画面（紙幣状態認識メイン画面）において、表示中紙幣の記番号も表示することで、ユーザは容易に表示中紙幣を探すことができる。
【０１４４】
また、紙幣結束整理装置１００Ａでは、１枚判別履歴表示画面（紙幣状態認識メイン画面）において、表示中紙幣を処理順序に従って逐次切替える処理（例えば、ボタンＢ５１、Ｂ５２に係る処理）に対応している。これにより、紙幣結束整理装置１００Ａのユーザは、処理された紙幣と当該紙幣の検査結果との対応関係を容易に把握することができる。
【０１４５】
また、紙幣結束整理装置１００Ａでは、１枚判別履歴表示画面（紙幣状態認識メイン画面）において、記番号を指定（例えば、図２７のポップアップ画面等により指定）して表示中紙幣を切替えする処理に対応している。これにより、ユーザは、紙幣結束整理装置１００Ａで処理された任意の紙幣（例えば、処理順序が不明の紙幣）の検査結果について容易に把握することができる。
【０１４６】
（Ｃ）他の実施形態
本発明は、上記の各実施形態に限定されるものではなく、以下に例示するような変形実施形態も挙げることができる。
【０１４７】
（Ｃ−１）上記の各実施形態では紙幣結束整理装置に本発明を適用したものを示したが、本発明の適用装置は、紙幣結束整理装置に限定されない。要は、投入紙幣の鑑別を行い、鑑別の結果によっては、適宜、本来の搬送路から分離して排出口に排出させる装置であれば、本発明を適用することができる。このような条件を満たすならば、自動取引装置（ＡＴＭ）等の現金処理装置にも、本発明の技術思想を適用することができる。
【０１４８】
また、上記の実施形態では、紙幣を扱う紙幣結束整理装置に本発明を適用したものを示したが、本発明が適用し得る紙葉類は、紙幣に限らず、小切手、商品券などの他の紙葉類であっても良い。
【０１４９】
（Ｃ−２）上記の実施形態の紙幣結束整理装置１００が表示する紙幣状態認識メイン画面（上述の図１６参照）では、当該画面の表示内容を変更するためのボタンＢ４３〜Ｂ４６が配置されているが、これらのボタンに係る機能（図１８〜図２３の処理に係る機能）の一部又は全部について省略した構成としてもよい。
【符号の説明】
【０１５０】
１００…紙幣結束整理装置、１…投入部、２…鑑別部、３…搬送路、４…表裏反転部、５０…制御部、５１…Ｉ／Ｏインタフェース回路、５１ａ〜５１ｅ…カウンタ、５２…記憶部、５２１…一次集積部設定情報、５２２…判別レベル設定情報、５２３…紙幣処理履歴、５２１…設定情報、６…集積機構、６１、６１ａ〜６１ｅ…一時集積部、７…操作部、８…リジェクトポケット、９…移送機構、１０…紙幣結束機構、１１…放出口、１３…操作表示部。
【図１】
2014225214.tif 000003
【図２】
2014225214.tif 000004
【図３】
2014225214.tif 000005
【図４】
2014225214.tif 000006
【図５】
2014225214.tif 000007
【図６】
2014225214.tif 000008
【図７】
2014225214.tif 000009
【図８】
2014225214.tif 000010
【図９】
2014225214.tif 000011
【図１０】
2014225214.tif 000012
【図１１】
2014225214.tif 000013
【図１２】
2014225214.tif 000014
【図１３】
2014225214.tif 000015
【図１４】
2014225214.tif 000016
【図１５】
2014225214.tif 000017
【図１６】
2014225214.tif 000018
【図１７】
2014225214.tif 000019
【図１８】
2014225214.tif 000020
【図１９】
2014225214.tif 000021
【図２０】
2014225214.tif 000022
【図２１】
2014225214.tif 000023
【図２２】
2014225214.tif 000024
【図２３】
2014225214.tif 000025
【図２４】
2014225214.tif 000026
【図２５】
2014225214.tif 000027
【図２６】
2014225214.tif 000028
【図２７】
2014225214.tif 000029